(57)【要約】【課題】異物の侵入経路を少なくすることが可能な遊技機を提供する。【解決手段】遊技盤１０を保持する枠部材２と、枠部材２の前面側に開閉可能に取り付けられて閉鎖状態において遊技盤１０を視認可能に構成されたガラス扉５とを備え、ガラス扉５が、前後方向に開口した窓口５１を有して枠部材２の前面側に開閉可能に取り付けられた窓枠５０と、窓枠５０の背面側に窓口５１を塞ぐように取り付けられた透明板６１，６２と、窓枠５０の背面に取り付けられた平板状の補強部材７０とを有して構成された遊技機ＰＭにおいて、補強部材７０に突起部７９が形成され、窓枠５０の背面の所定位置に窪み部５９が形成されており、この突起部７９を窪み部５９に嵌合させることにより補強部材７０が窓枠５０に対して位置決めされるようになっている。【選択図】図７
2007267815.tif 000002
【特許請求の範囲】
【請求項１】
遊技盤を保持する枠部材と、前記枠部材の前面側に開閉可能に取り付けられて閉鎖状態において前記遊技盤を視認可能に構成されたガラス扉とを備え、
前記ガラス扉が、前後方向に開口した窓口を有して前記枠部材の前面側に開閉可能に取り付けられた窓枠と、前記窓枠の背面側に前記窓口を塞ぐように取り付けられた透明板と、前記窓枠の背面に取り付けられた平板状の補強部材とを有して構成された遊技機において、
前記補強部材に突起部が形成され、前記窓枠の背面の所定位置に窪み部が形成されており、前記補強部材が、前記突起部を前記窪み部に嵌合させることにより、前記窓枠に対して位置決めされることを特徴とする遊技機。
【発明の詳細な説明】
【技術分野】
【０００１】
本発明は、遊技盤を保持する枠部材の前面側に開閉可能に取り付けられて閉鎖状態において遊技盤を視認可能に構成されたガラス扉を備えた遊技機に関する。
【背景技術】
【０００２】
このような遊技機の代表例であるパチンコ機は、開閉搭載枠をなす前枠に遊技領域が形成された遊技盤が保持されており、その前面側に遊技領域を透視保護するガラス扉が開閉自在に取り付けられている。ガラス扉は、前後方向に開口する窓口を有して外郭方形状に成形された窓枠と、窓枠の背面側に窓口を塞ぐように取り付けられたガラスアセンブリとを主体に構成されており、窓枠および前枠の左側縁に配設されたヒンジ機構で横開き開閉自在に支持され、常には右側縁に配設された施錠装置を利用して閉鎖保持される（例えば、特許文献１参照）。
【０００３】
窓枠の背面には、周縁部を取り囲うようにして補強用の板金が締結されている。図８には補強用の板金の前枠に対する従来の位置決め構造を示しているが、この補強板金１７０には、位置決め用の貫通孔１７９が形成されており、窓枠１５０の背面の周縁部における所定位置に突設された突起１５２にこの貫通孔１７９を嵌合させることにより補強板金１８０が窓枠１５０に対して位置決めされる。
【０００４】
ところで、ガラス扉は前枠の前面側に開閉可能に設けられていることから、両者の隙間からピアノ線などの異物をガラス扉の背面側に侵入させて不正遊技が行われるおそれがある。このため、ガラス扉の窓枠の周縁部を背面方向に屈曲してリブを成形するとともに、前枠の前面周縁部にこのリブを収容する収容溝を形成し、異物の侵入を困難にする構造が知られている（図６参照）。これに合わせて板金にもリブが成形され、この板金のリブを窓枠のリブに突き当てて板金が締結される。
【０００５】
【特許文献１】特開２００４−２０８９４７号公報
【発明の開示】
【発明が解決しようとする課題】
【０００６】
従来の遊技機は、ガラス扉と前枠の隙間からの異物侵入を困難にするための構造を有しているが、この隙間への侵入過程では補強板金のリブと窓枠のリブとの間に異物が侵入するおそれがある。上記のように、補強板金１７０に貫通孔１７９が形成されていると、異物が貫通孔１７９からガラス扉の背面側に侵入するおそれがあった。
【０００７】
本発明は、このような問題に鑑みてなされたものであり、異物の侵入経路を少なくすることが可能な遊技機を提供することを目的とする。
【課題を解決するための手段】
【０００８】
上記目的達成のため、本発明に係る遊技機は、遊技盤を保持する枠部材と、枠部材の前面側に開閉可能に取り付けられて閉鎖状態において遊技盤を視認可能に構成されたガラス扉とを備え、ガラス扉が、前後方向に開口した窓口を有して枠部材の前面側に開閉可能に取り付けられた窓枠と、窓枠の背面側に窓口を塞ぐように取り付けられた透明板と、窓枠の背面に取り付けられた平板状の補強部材とを有して構成された遊技機において、補強部材に突起部が形成され、窓枠の背面の所定位置に窪み部が形成されており、この突起部を窪み部に嵌合させることにより補強部材が窓枠に対して位置決めされるようになっている。
【発明の効果】
【０００９】
以上のように構成される本発明に係る遊技機によると、補強部材の位置決めを従来と同様にして行うことができ、補強部材の窓枠に対する組付性が損なわれることがない。さらに、ガラス扉が閉鎖されている状態において窓枠と補強部材との間に異物が侵入しても、この異物を窓枠の背面側に侵入させる経路が削除されるため、不正遊技が行われるおそれを低減できる。
【発明を実施するための最良の形態】
【００１０】
以下、本発明の好ましい実施形態について図面を参照して説明する。まず、図１〜図３を参照して本発明に係る遊技機の代表例として示すパチンコ機ＰＭの概要構成について説明する。ここで、図１はパチンコ機ＰＭの正面図、図２はパチンコ機ＰＭの背面図、図３は図１の矢印III−IIIに沿ったパチンコ機ＰＭの断面図である。
【００１１】
パチンコ機ＰＭは、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１２】
前枠２の前面側上部には、ガラス扉５が前方に横開き開閉及び着脱可能に取り付けられ、施錠装置４を利用して常には前枠２の前面を覆う閉止状態に保持される。図２に示すように、ガラス扉５の背後に位置する前枠２の上部には、遊技盤１０を着脱可能に収容する収容部２１が設けられており、この収容部２１に立設姿勢で係止保持された遊技盤１０がガラス扉５を通して視認されるようになっている。
【００１３】
遊技盤１０は、所定板厚の積層合板の表面にセルを貼り付けてルータ加工した化粧板を基板とし、円弧状のレール（図示せず）等に囲まれて略円形状の遊技領域ＰＡが形成される。遊技領域ＰＡには、多数本の遊技釘や風車とともに各種入賞装置等の遊技構成部品（図示せず）が取り付けられている。
【００１４】
前枠２の前面におけるガラス扉５の下側には、遊技球を貯留する上球皿６が取り付けられており、この上球皿６の下側には下球皿７および発射ハンドル８が取り付けられている。また、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）が設けられている。
【００１５】
前枠２の背面側には、裏セット盤３０がヒンジ機構（図示せず）により揺動開閉および着脱可能に取り付けられる。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を上球皿６に導く球払出通路３５等の遊技球の処理機構が設けられている。また、裏セット盤３０には、パチンコ機ＰＭの作動を統括的に制御する主制御装置３８等の各種制御装置や、回路基板等の各種電子部品が取り付けられており、これらが図示しないコネクタケーブルで接続されてパチンコ機ＰＭが作動可能に構成される。
【００１６】
パチンコ機ＰＭは、前枠２やガラス扉５等が閉鎖された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００１７】
図４〜図７を参照してガラス扉５について説明する。ここで、図４はガラス扉５の背面図、図５は図４の一点鎖線V−Vに沿った部分拡大図、図６は図１の矢印VI−VIに沿ったパチンコ機ＰＭの断面図、図７は図５の矢印VII−VIIに沿ったガラス扉５の断面図である。
【００１８】
図４に示すように、ガラス扉５は、前枠２の前面の上部に揺動開閉および着脱自在に取り付けられた窓枠５０と、窓枠５０の背面側に窓枠５０に対して揺動開閉および着脱可能に取り付けられたガラスアセンブリ６０とを主体に構成され、ガラスアセンブリ６０は窓口５１を塞ぐようにして窓枠５０に取り付けられる。
【００１９】
窓枠５０は、ＡＢＳ樹脂等の樹脂材で成形される外郭略方形状の枠体であり、中央部分に前後方向に開口した窓口５１が形成されている。窓枠５０には周縁部を取り囲って補強板金７０，７０，…が取り付けられており、ガラス扉５の強度確保が図られる。具体的には、上縁部および左右縁部に設けられている。
【００２０】
ガラスアセンブリ６０は、図３に示すように、前後２枚のガラス板６１，６２と、各ガラス板６１，６２の周縁を支持する保護フレーム６５とを備え、前後２枚のガラス板６１，６２が所定間隔をおいて互いに平行となるように保護フレーム６５に収容される。ガラスアセンブリ６０は、窓枠５０の背面右側に設けられたヒンジ機構５５，５５により揺動開閉可能に支持され、窓枠５０の背面側に配設された係止部材５６，５６をガラスアセンブリ６０に係止させることにより、窓口５１を塞ぐ閉止位置に保持される。
【００２１】
補強板金７０，７０，…は、例えばステンレス鋼等の金属板材で成形されており、薄板状の平板部７１と、平板部７１から屈曲して形成されるリブ部７２とが一体成形されている。なお、図５に示すように、窓枠５０は、周縁部が背面側に屈曲されてリブ部５２，５２，…が成形されている。補強板金７０は、平板部７１を窓枠５０の背面に当接させてリブ部７２を窓枠５０のリブ部５２に突き当てた状態として、平板部７１に貫通して形成されたボルト孔７８にボルト８１が挿入されて窓枠５０に締結される。
【００２２】
ここで、窓枠５０の左右縁部の下端部には、補強板金７０が二重に設けられている。これにより、窓枠５０と補強板金７０との隙間が少なくなり、異物の侵入経路の削減が図られている。
【００２３】
なお、図６に示すように、前枠２には、ガラス扉５が閉鎖保持されたときに窓枠５０のリブ部５２および補強板金７０のリブ部７２がともに収容されるリブ収容溝２２が形成されている。このリブ収容溝２２は、前枠２の前面から突出する内側リブ２２ａと、前枠２の周縁から前面側に屈曲されて成形された外側リブ２２ｂとにより囲まれて形成されている。このようにガラス扉５が閉鎖されたときに、リブ収容溝２２に窓枠５０と補強板金７０のリブ部５２，７２がともに収容されることにより、前枠２とガラス扉５との間の隙間が屈曲されて異物を侵入させることが困難になる。これにより、ピアノ線等の異物を侵入させることにより不正遊技が行われるおそれが低減される。
【００２４】
また、図６，図７に示すように、板金７０の平板部７１の所定位置に押出成形が施されており、一端面に凹状の窪みが形成されるとともに他端面に略円筒状に突出する突起部７９が形成されている。なお、このような突起部７９は、各板金７０において少なくとも２つ以上形成されている。一方、窓枠５０の周縁部には、所定位置に円筒状に凹んだ窪み部５９が形成されている。窪み部５９の径は突起部７９よりもわずかに大きく設定されており、板金７０の窓枠５０への取り付け時において突起部７９を窪み部５９を嵌合させると、板金７０が窓枠５０に位置決めされるようになっている。なお、図７には左縁部に取り付けられる板金７０についてのみ示しているが、他部位に取り付けられる板金７０についても同様の突起部および窪み部を利用することで位置決めされる。
【００２５】
このような構成によると、従来の構造と同様にして簡単に補強板金７０を窓枠５０に対して位置決めすることができる。さらに、板金７０が窓枠５０に取り付けられた状態においては、板金７０の平板部７１を前後に貫通する部分がなくなっている。このため、ガラス扉５が閉鎖されている状態において、ピアノ線等の異物が前枠２とガラス扉５の隙間から侵入され、窓枠５０のリブ部５２と補強板金７０のリブ部７２との間に侵入した場合でも、平板部７１を貫通して異物をガラス扉５の背面側に侵入させる経路が取り除かれる。したがって、不正遊技が行われるおそれが低減される。特に左右縁部の下端部においては二重に補強板金が設けられており、窓枠５０と補強板金７０の間に異物が侵入してもガラス扉５の背面側に侵入させるおそれがより低減されるようになっている。
【００２６】
これまで、本発明の実施形態について説明したが、必ずしも上記構成に限られるものではなく、補強板金の平板部７１に貫通部分が形成されていなければ、適宜設定変更可能である。また、本発明に係る遊技機の実施形態としてパチンコ機ＰＭを例示したが、例えばアレンジボール機や雀球遊技機などの他の遊技機にも本発明を適用することができる。
【００２７】
以上説明した本発明の実施形態において達成される効果を整理すると、下記のようになる。すなわち、パチンコ機ＰＭを始めとする遊技機において、ガラス扉５の強度を確保する補強板金７０の窓枠５０に対する組付性を損なわせることなく、ピアノ線等の異物の侵入経路を取り除くことができ、不正遊技が行われるおそれを低減することができる。
【図面の簡単な説明】
【００２８】
【図１】本発明に係る遊技機の代表例として示すパチンコ機の正面図である。
【図２】上記パチンコ機の背面図である。
【図３】図１の矢印III−III方向に沿ったパチンコ機の断面図である。
【図４】ガラス扉５の背面図である。
【図５】図４の一点鎖線V−Vに沿った部分拡大図である。
【図６】図１の矢印VI−VIに沿ったパチンコ機の断面図である。
【図７】図５のVII−VIIに沿ったガラス扉の断面図である。
【図８】従来の遊技機のガラス扉を図７に対応して示す断面図である。
【符号の説明】
【００２９】
ＰＭ  パチンコ機（遊技機）
２  前枠
５  ガラス扉
１０  遊技盤
５０  窓枠
５１  窓口
５９  窪み部
６１，６２  ガラス板（透明板）
７０  板金（補強部材）
７９  突起部
【図１】
2007267815.tif 000003
【図２】
2007267815.tif 000004
【図３】
2007267815.tif 000005
【図４】
2007267815.tif 000006
【図５】
2007267815.tif 000007
【図６】
2007267815.tif 000008
【図７】
2007267815.tif 000009
【図８】
2007267815.tif 000010